(57)【特許請求の範囲】
【請求項１】
検知手段が昇降可能なベッド本体の下降位置を検知することによりベッド本体の下降動作を停止させるベッドであって、ベッド本体の下部には可動部材を上下方向に移動するように案内するブラケットが設けられ、ブラケットにはベッド長手方向に延びた可動部材が上下方向に移動可能にかつ上下方向への運動範囲を規制された状態で装着され、ブラケットと可動部材とには可動部材を下方に付勢する付勢手段が配置され、検知手段がベッド本体又はブラケット又は可動部材の何れかに設けられる一方、カバーがベッド本体又はブラケットに設けられ、カバーには側壁がベッド本体又はブラケットの側から下方に突出してベッド幅方向外側から検知手段を覆うように設けられたことを特徴とするベッド。
【請求項２】
ブラケットには可動部材を上下方向に移動するように案内する複数個の突起部がベッド長手方向に分かれて設けられたことを特徴とする請求項１記載のベッド。
【請求項３】
付勢手段が複数個であって、複数個の付勢手段がベッド長手方向に分かれて設けられたことを特徴とする請求項１記載のベッド。
【請求項４】
可動部材が上方に開口しかつ上方から下方に窪む内部空間を有する形状であることを特徴とする請求項１記載のベッド。
【発明の詳細な説明】
【技術分野】
【０００１】
本発明は、ベッド本体が昇降する機構を備えた昇降式ベッドに関する。
【背景技術】
【０００２】
使用者の快適を主目的とした昇降式ベッドは、ベッド本体が下降した際に、ベッド本体のフレームと床面との間に使用者が挟まれないように、挟まれ防止機能が備えられており、特に使用者の身体の一部が入り込み易いベッドの外周に近い部分にセンサが取り付けられ、該センサが使用者を検知することにより、ベッド本体の下降を停止させるようになっている。
【０００３】
例えば、特許文献１では、ベッド本体のフレーム下部に光電センサが配設されている。該光電センサの投光部及び受光部は、投光部から受光部へ向かって放たれる光がベッドの長手方向に沿って延びるような位置に配設されており、ベッド本体が下降中に使用者の身体の一部により光電センサの光が遮られると、ベッド本体の下降を停止させるようになっている。
【０００４】
また、特許文献２では、ベッド本体のフレーム下部において赤外線センサが配設され、ベッド本体と床面との間に使用者の身体の一部が入り込むと、赤外線センサがその変化を捉え、特許文献１と同様に、ベッド本体の下降を停止させるようになっている。
【０００５】
さらに、特許文献１，２では、上記光電センサや赤外線センサといった非接触式センサと共にタッチセンサを組み合わせる方法が開示されており、非接触式センサが使用者の身体の一部を把握しえない場合であっても、使用者がタッチセンサに接触することによってベッド本体の下降を停止させるようになっている。
【先行技術文献】
【特許文献】
【０００６】
【特許文献１】特開２００２−１２５８０７号公報（段落００１０欄、図１）
【特許文献２】特開２００２−１２５８０８号公報（段落００１０欄、図１）
【発明の概要】
【発明が解決しようとする課題】
【０００７】
ところで、特許文献１，２では、光電センサや赤外線センサがベッドの外周に近い部分に取り付けられているので、ベッド本体を下降させたときの振動で、ベッド本体に載置した布団や毛布等の垂れ下がっている部分が揺れてしまい、この揺れをセンサが検知して誤検知となり、ひいては、使用者の使用感を悪くしてしまう。また、特許文献１，２で用いられている光電センサや赤外線センサは、総じて高価であるのでベッドのコストを引き上げてしまう要因となる。これを回避するために、光電センサや赤外線センサに比べると低価であるタッチセンサのみを検知手段とすることも考えられるが、該タッチセンサは検知範囲が限られているので、ベッド本体と床面との間に入り込んだ使用者の検知を確実なものとするためには、あらゆる場所に複数設置する必要があり、かえって費用が嵩むこととなる。
【０００８】
本発明は斯かる点に鑑みてなされたものであり、その目的とするところは、安全で、且つ、使用感が良く、さらには、低コストな昇降式ベッドを提供することにある。
【課題を解決するための手段】
【０００９】本発明は、検知手段が昇降可能なベッド本体の下降位置を検知することによりベッド本体の下降動作を停止させるベッドであって、ベッド本体の下部には可動部材を上下方向に移動するように案内するブラケットが設けられ、ブラケットにはベッド長手方向に延びた可動部材が上下方向に移動可能にかつ上下方向への運動範囲を規制された状態で装着され、ブラケットと可動部材とには可動部材を下方に付勢する付勢手段が配置され、検知手段がベッド本体又はブラケット又は可動部材の何れかに設けられる一方、カバーがベッド本体又はブラケットに設けられ、カバーには側壁がベッド本体又はブラケットの側から下方に突出してベッド幅方向外側から検知手段を覆うように設けられたことを特徴とする。本発明にあっては、ブラケットには可動部材を上下方向に移動するように案内する複数個の突起部がベッド長手方向に分かれて設けられたり、又は、付勢手段が複数個であって、複数個の付勢手段がベッド長手方向に分かれて設けられたり、又は、可動部材が上方に開口しかつ上方から下方に窪む内部空間を有する形状であっても、適用可能である。
【発明の効果】
【００１５】本発明によれば、ベッド本体の下降時において、使用者の身体の一部が不意に可動部材と床面との間に入ってしまっても、使用者の身体の一部と可動部材とが接触し、可動部材が上方に向かってスライド移動することによって検出手段が下降位置を検知し、ベッド本体の下降が停止するようになる。したがって、使用者が可動部材と床面との間で挟まれることを防止でき、使用者は安全にベッドを使用することができる。
【図面の簡単な説明】
【００１９】
【図１】本発明の実施形態に係るベッドの構成を示す斜視図である。
【図２】ベッド本体の構成を示す平面図である。
【図３】本発明の実施形態におけるサイドボード取付部分をベッドの内側から見た斜視図である。
【図４】本発明の実施形態におけるサイドボード取付部分をベッドの内側から見た背面図である。
【図５】図４におけるＡ−Ａ線断面図である。
【図６】図４におけるＢ−Ｂ線断面図である。
【図７】本発明の実施形態におけるベッド本体中央側部をベッドの内側から見た背面図である。
【発明を実施するための形態】
【００２０】
以下、本発明の実施形態を図面に基づいて詳細に説明する。尚、以下の好ましい実施形態の説明は、本質的に例示に過ぎない。
【００２１】
図１は、本実施形態に係る介護用ベッド（昇降式ベッド）１を示す。この介護用ベッド１は、該ベッド１の骨格となるベッド本体２と、該ベッド本体２の上に載置された分割構造のボトム３０と、上記ベッド本体２のベッド長手方向頭側に配設された略矩形の板状のヘッドボード３１と、ベッド長手方向脚側に配設された略矩形の板状のフットボード３２と、ベッド本体２の幅方向両側端部に配設された二対の略矩形の板状のサイドボード（転落防止用柵）３３と、ベッド本体２の下部でベッド長手方向に間隔をあけて配設された一対のベッド支持脚４とを備えている。上記介護用ベッド１は、図示しないが、従来周知の昇降機構を有しており、リモコンによる操作でベッド本体２が床面に対して昇降可能となっている。以下、「ベッド長手方向頭側」を単に「頭側」と、「ベッド長手方向脚側」を単に「脚側」という。
【００２２】
上記ベッド本体２は、図２に示すように、角パイプ製の複数本のフレームを組み立てて構成したものであり、ベッド長手方向に延びる左右一対の第１メインフレーム５１，５１と、第１メインフレーム５１，５１の脚側の端部に接続されてベッド長手方向に延びる左右一対の第２メインフレーム５２，５２とを備えている。上記第１メインフレーム５１，５１の前側端面には上記ヘッドボード３１が取り付けられ、第２メインフレーム５２，５２の脚側端面には上記フットボード３２が取り付けられている。
【００２３】
上記第１メインフレーム５１，５１は、ベッド長手方向に間隔をあけて配設された第１メインフレーム５１，５１同士を連結する頭側補強フレーム５１ａ，５１ａを有し、且つ、第１メインフレーム５１の各々には、ベッド長手方向に間隔をあけてベッド幅方向外側に並んで突出する突出フレーム５１ｂ，５１ｂが取り付けられている。該突出フレーム５１ｂ，５１ｂの先端には、該突出フレーム５１ｂ，５１ｂ間を繋ぐ頭側架橋フレーム５１ｃが取り付けられている。該頭側架橋フレーム５１ｃのベッド内方側には、後述する固定用ブラケット７及びカバー９を取り付けるための取付孔ｈ１が間隔をあけて形成されている。また、頭側架橋フレーム５１ｃの両端には、下方に突出する円筒状の円筒フレーム５１ｄが設けられており、上記円筒フレーム５１ｄの上端には、上記サイドボード３３を取り付けるための取付用穴Ｈが形成されている。
【００２４】
一方、上記第２メインフレーム５２，５２上には、ベッド長手方向に間隔をあけてベッド幅方向に延びる３本の脚側補強フレーム５２ａ，５２ｂ，５２ｃが配設されている。これら３本の脚側補強フレーム５２ａ，５２ｂ，５２ｃのうち脚側寄りに配設された２本の脚側補強フレーム５２ｂ，５２ｃのベッド幅方向両端部には、該脚側補強フレーム５２ｂ，５２ｃを繋ぐ脚側架橋フレーム５２ｄが取り付けられている。該脚側架橋フレーム５２ｄの両端には、下方に突出する円筒状の円筒フレーム５２ｅが設けられており、上記脚側架橋フレーム５２ｄの上端には、サイドボード３３を取り付けるための取付用穴Ｈが形成されている。また、上記脚側補強フレーム５２ａ,５２ｂのベッド幅方向両端縁寄りには、該脚側補強フレーム５２ａ,５２ｂを繋ぐ中央フレーム５２ｆが取り付けられている。
【００２５】
また、上記第１メインフレーム５１，５１の上方には、角パイプ製のフレームを略矩形に配置した背上げフレーム５３が設けられており、該背上げフレーム５３は、第１メインフレーム５１,５１の脚側に上下方向に回動可能に取り付けられている。一方、第２メインフレーム５２，５２の内方には、角パイプ製のフレームを格子状に配置した大腿部支え上げフレーム５４が設けられており、該大腿部支え上げフレーム５４は、脚側補強フレーム５２ａに上下方向に回動可能に取り付けられている。上記背上げフレーム５３及び大腿部支え上げフレーム５４は、頭側補強フレーム５１ａ，５１ａの間に設けられたモータＭを駆動源とする背上げ駆動機構Ｆにより、第１メインフレーム５１及び第２メインフレーム５２に対して上方に回動することで、ベッド本体２上の横たわる使用者の背中と大腿部とを持ち上げることができるようになっている。
【００２６】
上記ベッド本体２の頭側架橋フレーム５１ｃには、図３乃至図５に示すように、該頭側架橋フレーム５１ｃの両端縁寄りに固定される一対の固定用ブラケット７が設けられている。該固定用ブラケット７は、樹脂製の部材であり、頭側架橋フレーム５１ｃに固定される部分となる固定部７１と、該固定部７１から下方に向かって一体に突設された円筒部７２とを有している。
【００２７】
上記固定部７１は、略直方体状をなし、ベッド幅方向に間隔をあけて設けられた２枚の側壁７１ｃの間に頭側架橋フレーム５１ｃを収容する収容空間７１ａが形成されている。上記固定部７１の上壁７１ｂはベッド幅方向外側の一部にしかなく、固定部７１の収容空間７１ａに頭側架橋フレーム５１ｃを収容したとき、上壁７１ｂが頭側架橋フレーム５１ｃの上面と接触することによって、固定部７１が下方にずれないようになっている。また、側壁７１ｃのうち、ベッド内方側に位置する側壁７１ｃの上部には、固定部７１を頭側架橋フレーム５１ｃに固定するための固定用孔ｈが形成されており、該固定用孔ｈは、頭側架橋フレーム５１ｃに形成された取付孔ｈ１に対応する位置となっている。さらには、側壁７１ｃの下部には、各側壁７１ｃが互いに近づくような段差部分が形成されており、固定部７１の上部よりも下部の方がベッド幅方向に狭くなる形状となっている。
【００２８】
上記円筒部７２の外径は、図５に示すように、上記側壁７１ｃの幅よりも狭く形成され、円筒部７２の側壁７２ａの上縁と固定部７１の側壁７１ｃの下縁との間には環状の凹溝部７３が形成されている。また、上記円筒部７２の内部には、固定部７１の内部に繋がる挿通孔７２ｂが形成されている。
【００２９】
上記サイドボード３３の下側には、図３乃至図６に示すように、ベッド本体２側部に沿って延びる可動部材８が、ベッド本体２側部である頭側架橋フレーム５１ｃに上下動可能に保持されている。該可動部材８は、樹脂製の部材であり、円筒フレーム５１ｄ,５１ｄ間をベッド本体２に沿って延びる断面凹状の略直方体状をなしており、該可動部材８の内部には、底面から上方に突出するとともにベッド幅方向に位置する両側壁８３を繋ぐ板状の補強リブ８１が、ベッド長手方向に複数形成されている。
【００３０】
上記可動部材８のベッド長手方向の両端縁寄りの内部には、上方に開放する穴部８２ａが形成された円柱部８２が上記固定用ブラケット７の円筒部７２に対応するように底面から上方に向かって一体に突設され、上記円筒部７２の挿通孔７２ｂ内に下方から上下動可能に挿入されている。
【００３１】
上記円柱部８２の穴部８２ａには、雌ネジ（図示せず）が形成されており、図５に示すように、上記穴部８２ａに取り付けられたボルトＢと円柱部８２の上端との間には該円柱部８２よりも外形が大きなワッシャーＷが介在している。したがって、円柱部８２が下方にスライドすると、ワッシャーＷが円筒部７２の上端部分に接して、可動部材８がそれ以上移動できず、円柱部８２が上方にスライドすると、可動部材８の底面が円筒部７２の下端に接して、該可動部材８がそれ以上移動できない構成となっている。
【００３２】
また、円筒部７２の各々には上下に延びるコイルバネ（付勢手段）Ｓｐが外装されるようになっている。つまり、コイルバネＳｐは、ベッド長手方向に間隔をあけて２つ設けられている。該コイルバネＳｐの上端は、固定用ブラケット７の凹溝部７３に収まるようになっており、一方下端は、可動部材８の底面に接触している。したがって、コイルバネＳｐは、固定用ブラケット７に対して可動部材８を常時下方に付勢するようになっている。そして、コイルバネＳｐが可動部材８を下方に付勢した状態で、該可動部材８の底面は後述するカバー９の下端よりも下側に位置するようになっている。
【００３３】
上記可動部材８のベッド長手方向中央頭側寄りの両側壁８３のうち、ベッド内方側に位置する側壁８３の開口周縁内側には、図４及び図６に示すように、リミットスイッチＬｓが取り付けられている。上記リミットスイッチＬｓは、接触子Ｌｓ１が上方に位置し、その取付位置は、頭側架橋フレーム５１ｃの下方の位置で可動部材８の開口周縁から上方に飛び出すように取り付けられている。上記リミットスイッチＬｓは、図示しないが、ベッド１の昇降機構の制御部に繋がっており、ベッド本体２に対して可動部材８が上方に移動すると、頭側架橋フレーム５１ｃ下部にリミットスイッチＬｓの接触子Ｌｓ１が当接し、リミットスイッチＬｓがベッド本体２の下降位置を検知するようになっている。そして、制御部は、リミットスイッチＬｓの検知信号に基づき、それ以降のベッド本体２の下降を停止させるようになっている。尚、本実施形態では、リミットスイッチＬｓを１つだけ設けているが、２つ以上設けてもよい。また、リミットスイッチの取付位置は、上記の位置に限らず、ベッド本体２に当接する位置であればよい。また、リミットスイッチＬｓは、ベッド本体２側に取り付けて、可動部材８に当接することによって検知信号を出力するようにしてもよい。
【００３４】
上記固定用ブラケット７及び可動部材８のベッド本体２外方には、外観見栄えをよくするために固定用ブラケット７及び可動部材８を覆うカバー９が設けられている。該カバー９は、樹脂製の部材であり、ベッド長手方向に延びる略直方体状をなしている。該カバー９は、下方及びベッド内側が開口しており、ベッド長手方向両端部分は、円筒フレーム５１ｄを覆うように横断面が円弧状に湾曲している。
【００３５】
該カバー９の上壁のベッド内方側周縁には、下方に突出するとともに略矩形の板状をなす取付用板部９１がベッド長手方向両端縁寄りに一対形成されている。該取付用板部９１には、頭側架橋フレーム５１ｃの取付孔ｈ１に対応する位置に貫通孔９１ａが形成されている。したがって、図示しないが締結用ボルトを固定用ブラケット７の固定用孔ｈと、カバー９の貫通孔９１ａに挿通して、上記締結用ボルトを頭側架橋フレーム５１ｃの取付孔ｈ１に締結すると固定用ブラケット７とカバー９とが同時に頭側架橋フレーム５１ｃに固定されるようになっている。
【００３６】
上記カバー９の内部には、上壁から下方に突出するとともにベッド幅方向に位置する側壁９４と繋がる板状の補強リブ９２が、ベッド長手方向に複数形成されている。上記補強リブ９２の下端縁は、カバー９を頭側架橋フレーム５１ｃに取り付けたときに、該頭側架橋フレーム５１ｃの上面に接触するようになっている。また、上記カバー９の上壁のベッド長手方向両端部分には、貫通孔９３が円筒フレーム５１ｄの取付用孔Ｈに対応するように上下に貫通形成されている。
【００３７】
ベッド本体２の脚側架橋フレーム５２ｄには、図２に示すように、頭側架橋フレーム５１ｃと同様に、可動部材８が固定用ブラケット７を介して設けられている。
【００３８】
さらに、ベッド本体２の中央フレーム５２ｆにおいても、図７に示すように、可動部材８が固定用ブラケット７を介して設けられている。中央フレーム５２ｆに設けられた可動部材８の円柱部８２の突設位置は、該可動部材８のベッド長手方向中央と、ベッド長手方向頭側となっている。そして、固定用ブラケット７は、この円柱部８２の位置に対応するように脚側架橋フレーム５２ｄに取り付けられている。また、リミットスイッチＬｓは、可動部材８の長手方向略中央に取り付けられている。また、中央フレーム５２ｆには、カバー９が取り付けられておらず、図１に示すように、ボトム３０をベッド本体２上に載置したときに、上記ボトム３０の側壁によって可動部材８の上部が隠れるようになっており、外観見栄えを損なわないような構成となっている。
【００３９】
次に、使用者がベッド１を昇降させる場合について説明する。まず、使用者が図示しないリモコンによる操作でベッド本体２を床面に対して下降させる。このとき、例えば、使用者の身体の一部が不意にベッド本体２と床面との間に入ってしまっている場合、可動部材８の底壁と使用者とが接触する。さらに、使用者と可動部材８との接触に気づかずにリモコン操作によりベッド本体２を下降し続けさせると、可動部材８が固定用ブラケット７に対して上方に移動し、リミットスイッチＬｓの接触子Ｌｓ１と頭側架橋フレーム５１ｃ,脚側架橋フレーム５２ｄ,中央フレーム５２ｆとが接触する。すると、図示しないが、ベッド１の昇降機構の制御部はリミットスイッチＬｓからの検知信号を受け取り、それ以降のベッド本体２の下降を停止する。これにより、使用者がベッド本体２と床面との間に挟まれてしまうのを防止することができる。
【００４０】
一方、ベッド本体２の下降が停止した後、使用者がベッド本体２をリモコン操作により上昇させると、可動部材８はコイルバネＳｐの付勢力によって固定用ブラケット７に対して下方にスライド移動し、初期の状態に戻る。これにより、リミットスイッチＬｓの接触子Ｌｓ１と頭側架橋フレーム５１ｃ,脚側架橋フレーム５２ｄ,中央フレーム５２ｆとが接触しなくなり、再びベッド本体２を下降させることができるようになる。
【００４１】
以上より、本発明の実施形態によれば、ベッド本体２の下降時において、使用者の身体の一部が不意にベッド本体２と床面との間に入ってしまっても、使用者の身体の一部と可動部材８とが接触し、該可動部材８が上方に向かってスライド移動することによってリミットスイッチＬｓが下降位置を検知し、ベッド本体２の下降が停止するようになる。したがって、使用者がベッド本体２と床面との間で挟まれることを防止でき、使用者は安全にベッド１を使用することができる。また、布団等がベッド１の側方から垂れ下がり、ベッド本体２の下降動作による振動で垂れ下がった部分が揺れて可動部材８の側方に接触しても、可動部材８は上下動しかしないので、リミットスイッチＬｓが反応することはなく、誤検知をなくして使用感の良いベッド１とすることができる。また、センサにリミットスイッチＬｓという総じて安価なセンサを用いることができ、さらには、リミットスイッチＬｓの数は最低１つあればよいので、低コストなベッド１とすることができる。
【００４２】
また、コイルバネＳｐが間隔をあけて２つ設けられているので、使用者が可動部材８の端部に接触したような場合であっても、接触した側だけが上方に移動することなく、コイルバネＳｐの付勢力によって可動部材８の両端部がバランスよく上方に移動するようになる。したがって、リミットスイッチＬｓの検知をより確実なものにでき、安全なベッド１とすることができる。
【００４３】
また、サイドボード３３は、ベッド本体２を下降させたときに使用者の身体の一部が最も挟まれやすいベッド１の側端部に取り付けられているので、そのサイドボード３３の下に可動部材８を設けることによって、さらに安全なベッド１とすることができる。
【００４４】
また、可動部材８は比較的柔らかい樹脂材からなるので、可動部材８が使用者と接触した際に、使用者を傷つけにくくなり、安全なベッド１とすることができる。
【００４５】
尚、本実施形態では、センサにリミットスイッチＬｓを用いているが、近接スイッチがベッド本体２又は可動部材８に接近することにより検知信号を出力するようにしてもよい。
【００４６】
また、上記のように可動部材８とリミットスイッチＬｓとを用いてベッド本体２の下降動作を停止させる構成は、本実施形態のベッド１に限らず、固定用ブラケット７を固定するフレームがあれば、他のベッドにも汎用的に用いることができる。
【産業上の利用可能性】
【００４７】
本発明は、例えば、ベッド本体が昇降する機構を備えた昇降式ベッドに適している。
【符号の説明】
【００４８】
１        介護用ベッド（昇降式ベッド）
２        ベッド本体
８        可動部材
３３        サイドボード（転落防止用柵）
Ｌｓ        リミットスイッチ（検知手段）
Ｓｐ        コイルバネ（付勢手段）
【図１】
0005566079.tif 000002
【図２】
0005566079.tif 000003
【図３】
0005566079.tif 000004
【図４】
0005566079.tif 000005
【図５】
0005566079.tif 000006
【図６】
0005566079.tif 000007
【図７】
0005566079.tif 000008